(57)【要約】【課題】  動画撮影に影響を及ぼさない着信通知機能を有する携帯端末装置を提供する。【解決手段】  通信機能と動画を撮影し保存する機能を有する携帯端末装置において、動画撮影中に着信があった場合、撮影中の動画や音声に影響を及ぼさないようにして着信を通知する着信通知手段５と、着信通知手段５を制御する主制御手段１とを備えた。【選択図】  図１
2005191731.tif 000002
【特許請求の範囲】
【請求項１】
通信手段と動画を撮影し保存する動画保存手段とを有する携帯端末装置において、動画撮影中に着信があった場合、撮影中の動画や音声に影響を及ぼさないようにして着信を通知する着信通知手段と、該着信通知手段を制御する主制御手段とを備えたことを特徴とする携帯端末装置。
【請求項２】
請求項１の携帯端末装置において、前記着信通知手段は、撮影中の着信音を録音される音声から排除するエコーキャンセラ手段を備えていることを特徴とする携帯端末装置。
【請求項３】
請求項１の携帯端末装置において、前記着信通知手段は、撮影中の着信音を所定のものとし、該着信音のみを排除する帯域フィルタ手段を備え、録音される音声から前記着信音を排除することを特徴とする携帯端末装置。
【請求項４】
請求項２または３の携帯端末装置において、前記着信通知手段は、撮影中に着信音が鳴動している瞬間だけ前記着信音を排除することを有効とすることを特徴とする携帯端末装置。
【請求項５】
請求項１の携帯端末装置において、前記着信通知手段は、表示手段に視覚的に着信を表示させることを特徴とする携帯端末装置。
【発明の詳細な説明】
【技術分野】
【０００１】
本発明は、動画像の撮影が可能な携帯端末装置に関するものである。
【背景技術】
【０００２】
近年、携帯電話端末(携帯端末装置)のマルチファンクション化が進み、さまざまな機能が端末に組み込まれつつある。その機能の一つとして動画の撮影機能があるが、電話機能との両立に問題が生じるケースも想定される。一般的に携帯端末の着信通知方法としては、音によるものと振動によるものがある。
【発明の開示】
【発明が解決しようとする課題】
【０００３】
しかし、動画撮影中においては、音は録画中の音声に録音されてしまったり、振動は録画の画像に影響が及ぶなど、従来の着信通知方法では機能の両立が難しい。このため、「録画中は着信通知をしない」、「録画中はメッセージ応答する」などの提案があるが、いずれも電話機としての機能を妨げてしまうという問題点がある。
本発明は、動画撮影に影響を及ぼさない着信通知機能を有する携帯端末装置を提供することを目的とする。
【課題を解決するための手段】
【０００４】
上記目的を達成するために、請求項１記載の発明は、通信手段と動画を撮影し保存する動画保存手段とを有する携帯端末装置において、動画撮影中に着信があった場合、撮影中の動画や音声に影響を及ぼさないようにして着信を通知する着信通知手段と、該着信通知手段を制御する主制御手段とを備えたことを特徴とする。
請求項２記載の発明は、請求項１の携帯端末装置において、前記着信通知手段は、撮影中の着信音を録音される音声から排除するエコーキャンセラ手段を備えていることを特徴とする。
請求項３記載の発明は、請求項１の携帯端末装置において、前記着信通知手段は、撮影中の着信音を所定のものとし、該着信音のみを排除する帯域フィルタ手段を備え、録音される音声から前記着信音を排除することを特徴とする。
請求項４記載の発明は、請求項２または３の携帯端末装置において、前記着信通知手段は、撮影中に着信音が鳴動している瞬間だけ前記着信音を排除することを有効とすることを特徴とする。
請求項５記載の発明は、請求項１の携帯端末装置において、前記着信通知手段は、表示手段に視覚的に着信を表示させることを特徴とする。
【発明の効果】
【０００５】
本発明によれば、動画撮影中の着信でも、録画に影響を及ぼさない手段によって着信が通知されるため、使用者は、適宜、録画を続行するか、中断して着信に応答するか判断することが可能となり、電話機としての基本機能の利便性が向上する。
【発明を実施するための最良の形態】
【０００６】
以下、図面を参照して、本発明の実施形態を詳細に説明する。
図１は本発明の実施の形態に係る携帯端末装置のブロック構成図である。本発明の携帯端末装置は、全体の制御を行う主制御部１と、発信／着信の制御を行う通信制御部２と、送話／受話のマイク・スピーカーを備えた通話部３と、発信やその他のマルチファンクション機能を実施するための操作部４と、着信検出時に着信音や振動を生成する着信通知部５と、基地局と電波の送受信を行うエアＩ／Ｆ部６と、端末の操作や動画撮影時の確認などに利用される表示部７と、動画像を取り込むためのカメラ８と、動画像撮影時における音声録音のためのマイク９と、カメラ／マイクから取り込まれた動画像情報を保存する記憶部１０から構成される。着信通知部５はエコーキャンセラ機能と帯域フィルタ機能を有する。
【０００７】
図２は図１に示す携帯端末装置における処理動作のフローチャートである。この処理動作は主制御部１によって実行される。
端末装置が着信を検出した場合(Ｓ１)、動画撮影中でなければ(Ｓ２でＮ)、着信通知部５では、音や振動など、あらかじめ設定されている通常の着信通知処理を実行する(Ｓ３)。一方動画撮影中であった場合には(Ｓ２でＹ)、着信通知部５では、エコーキャンセラをＯＮした上で着信音を鳴動させる(Ｓ４)、帯域フィルタをＯＮして所定の着信音を鳴動させる(Ｓ５)、表示部７に着信を通知する表示を行う(Ｓ６)といった着信通知処理を実行し、着信の応答処理へ移行する(Ｓ７)。ここで(Ｓ４)または(Ｓ５)の動作において、断続する着信ＯＮを鳴動させる場合、着信音送出中のみエコーキャンセラあるいは帯域フィルタをＯＮする。
本発明によれば、動画撮影中の着信でも、録画に影響を及ぼさない手段によって着信が通知されるため、使用者は、適宜、録画を続行するか、中断して着信に応答するか判断することが可能となり、電話機としての基本機能の利便性が向上する。
また、着信音がマイクを経由して録音されることがなく、動画撮影中の着信でも影響を及ぼすことがないため、着信通知を音によって行うことができ、使用者は、適宜、録画を続行するか、中断して着信に応答するか判断することが可能となり、電話機としての基本機能の利便性が向上する。
また、着信音がマイクを経由して録音されることがなく、動画撮影中の着信でも影響を及ぼすことがないため、着信通知を音によって行うことができ、使用者は、適宜、録画を続行するか、中断して着信に応答するか判断することが可能となり、電話機としての基本機能の利便性が向上する。
また、エコーキャンセラや帯域フィルタを通して録音する経路は、撮影中の着信で、着信音を送出している瞬間だけ使用することにより、録音される音声への影響を小さくすることができる。
また、動画撮影中は視覚的な方法によって着信を通知するので、動画撮影中の着信でも影響を及ぼすことがないため、使用者は、適宜、録画を続行するか、中断して着信に応答するか判断することが可能となり、電話機としての基本機能の利便性が向上する。
【産業上の利用可能性】
【０００８】
本発明は、マルチファンクションな携帯端末で、着信通知手段が通話以外の機能に影響を及ぼすようなケースにも応用が可能である。
【図面の簡単な説明】
【０００９】
【図１】本発明の実施の形態に係る携帯端末装置のブロック構成図である。
【図２】図１に示す携帯端末装置における処理動作のフローチャートである。
【符号の説明】
【００１０】
１  主制御部(主制御手段)
５  着信通知部(着信通知手段)
【図１】
2005191731.tif 000003
【図２】
2005191731.tif 000004